(57)【特許請求の範囲】
【請求項１】
板状の第１筐体と、
前記第１筐体と側面同士が回動可能に接続される板状の第２筐体と、
前記第１筐体の板面および前記第２筐体の板面を連続して覆い、タッチセンサ層を有するフレキシブルディスプレイと、
前記タッチセンサ層への接触または接近配置を前記タッチセンサ層が検出可能なペンと、
前記第１筐体および前記第２筐体の少なくともいずれかに設けられる情報処理部と、を備え、
前記フレキシブルディスプレイは、
前記第１筐体の板面に固定される第１表示領域と、
前記第２筐体の板面に固定される第２表示領域と、
前記第１表示領域と前記第２表示領域とを繋ぎ、少なくとも撓み変形可能な領域を含む第３表示領域と、を有し、
前記ペンは、
前記ペンの先端に加えられる圧力を検出する筆圧検出部と、
前記情報処理部と通信可能な通信部と、を有し、
前記情報処理部は、前記第１筐体に対して前記第２筐体が曲げられた状態では、前記第３表示領域に対して、前記第１表示領域および前記第２表示領域とは異なる制御を行い、
前記情報処理部は、前記第３表示領域が撓み変形した状態において、前記タッチセンサ層が前記第３表示領域への前記ペンの接触を検出し、かつ、前記筆圧検出部が検出した圧力が所定値以上である場合には、所定の制御を行う、
電子機器。
【請求項２】
前記異なる制御は、前記第３表示領域に、前記第１表示領域および前記第２表示領域とは異なる表示を行うことを含む、
請求項１に記載の電子機器。
【請求項３】
前記異なる制御は、前記タッチセンサ層が前記第３表示領域への誘電体の接触または接近配置を検出した場合に、前記第３表示領域に所定の表示を行うことを含む、
請求項１または２に記載の電子機器。
【請求項４】
前記異なる制御は、前記タッチセンサ層が前記第３表示領域への誘電体の接触または接近配置を検出した場合に、前記第３表示領域の検出部分にポップアップウィンドウを表示させることを含む、
請求項１から３のいずれか１項に記載の電子機器。
【請求項５】
前記情報処理部は、前記第３表示領域の検出部分が移動した場合に、前記ポップアップウィンドウを前記検出部分の移動に追従させる、
請求項４に記載の電子機器。
【請求項６】
前記異なる制御は、前記第３表示領域に前記ペンが接近配置されかつ非接触である場合には、前記ポップアップウィンドウを半透明で表示させることを含む、
請求項４または５に記載の電子機器。
【請求項７】
前記情報処理部は、前記第３表示領域が撓み変形した状態において、前記タッチセンサ層への誘電体の接触面積が所定値以上である場合には、所定の制御を行う、
請求項１から６のいずれか１項に記載の電子機器。
【請求項８】
前記第１筐体に設けられる第１検出部と、
前記第２筐体に設けられる第２検出部と、を備え、
前記情報処理部は、
前記タッチセンサ層が前記第３表示領域への誘電体の接触または接近配置を検出し、かつ、前記第１検出部の検出結果および前記第２検出部の検出結果に基づいて、前記第１筐体と前記第２筐体とが相対的に回動し閉じられる動作を検出した場合には、所定の制御を行う、
請求項１から７のいずれか１項に記載の電子機器。
【請求項９】
前記第１筐体に設けられ、前記第１筐体の姿勢を検出する第１検出部と、
前記第２筐体に設けられ、前記第２筐体の姿勢を検出する第２検出部と、を備え、
前記情報処理部は、
前記第１検出部の検出結果および前記第２検出部の検出結果に基づいて、前記第１筐体に対して前記第２筐体が曲げられた状態と、前記第１筐体と前記第２筐体とが平行な状態と、を判別する、
請求項１から８のいずれか１項に記載の電子機器。
【発明の詳細な説明】
【技術分野】
【０００１】
本発明は、電子機器に関する。
【背景技術】
【０００２】
従来、例えば特許文献１に記載の携帯用情報機器が知られている。この携帯用情報機器は、一対の筐体部材を開閉することでその内側に設けたディスプレイを開閉し、収納形態と使用形態とに変形させることができる。ディスプレイは、タッチパネル式の有機ＥＬ(Electro Luminescence)等のフレキシブルディスプレイである。収納形態は、一対の筐体部材を二つ折りに折り畳んだ形態である。使用形態は、一対の筐体部材を平板状に開いた形態である。
【先行技術文献】
【特許文献】
【０００３】
【特許文献１】特開２０１８−１１２８３４号公報
【発明の概要】
【発明が解決しようとする課題】
【０００４】
従来では、一対の筐体部材を平板状に開いた使用形態、つまり一対の筐体部材間の開き角度が１８０度の場合のみ、電子機器を使用することができる。しかしながら、例えば、一対の筐体部材間の開き角度が１８０度未満の鈍角等とされた形態においても、電子機器を使用することへの要望がある。この場合、ディスプレイのうち一対の筐体部材間に配置されて撓み変形する領域については、ユーザのタッチ操作等に注意が必要となる。
【０００５】
上記事情に鑑み、本発明は、フレキシブルディスプレイの撓み変形する領域へのタッチ操作等に関してユーザに注意を喚起できる電子機器を提供することを目的の一つとする。
【課題を解決するための手段】
【０００６】
本発明の電子機器の一つの態様は、板状の第１筐体と、前記第１筐体と側面同士が回動可能に接続される板状の第２筐体と、前記第１筐体の板面および前記第２筐体の板面を連続して覆い、タッチセンサ層を有するフレキシブルディスプレイと、前記タッチセンサ層への接触または接近配置を前記タッチセンサ層が検出可能なペンと、前記第１筐体および前記第２筐体の少なくともいずれかに設けられる情報処理部と、を備え、前記フレキシブルディスプレイは、前記第１筐体の板面に固定される第１表示領域と、前記第２筐体の板面に固定される第２表示領域と、前記第１表示領域と前記第２表示領域とを繋ぎ、少なくとも撓み変形可能な領域を含む第３表示領域と、を有し、前記ペンは、前記ペンの先端に加えられる圧力を検出する筆圧検出部と、前記情報処理部と通信可能な通信部と、を有し、前記情報処理部は、前記第１筐体に対して前記第２筐体が曲げられた状態では、前記第３表示領域に対して、前記第１表示領域および前記第２表示領域とは異なる制御を行い、前記情報処理部は、前記第３表示領域が撓み変形した状態において、前記タッチセンサ層が前記第３表示領域への前記ペンの接触を検出し、かつ、前記筆圧検出部が検出した圧力が所定値以上である場合には、所定の制御を行う。
【発明の効果】
【０００７】
本発明の一つの態様の電子機器によれば、フレキシブルディスプレイの撓み変形する領域へのタッチ操作等に関してユーザに注意を喚起できる。
【図面の簡単な説明】
【０００８】
【図１】図１は、本実施形態の電子機器を示す斜視図であり、第１筐体に対して第２筐体が曲げられた状態（フォールディングモード）を表す。
【図２】図２は、電子機器を示す側面図であり、第１筐体と第２筐体とが平行な状態（オープンモード）を表す。
【図３】図３は、電子機器を示す側面図であり、第１筐体に対して第２筐体が曲げられた状態（フォールディングモード）を表す。
【図４】図４は、電子機器を示す側面図であり、第１筐体に対して第２筐体が曲げられた状態（フォールディングモード）を表す。
【図５】図５は、電子機器を示す側面図であり、第１筐体に対して第２筐体が曲げられた状態（フォールディングモード）を表す。
【図６】図６は、第１筐体に対して第２筐体が曲げられた状態（フォールディングモード）で、フレキシブルディスプレイの第３表示領域の検出部分にポップアップウィンドウが表示された例を示す斜視図である。
【図７】図７は、ポップアップウィンドウの一例を示す図である。
【図８】図８は、ポップアップウィンドウの一例を示す図である。
【図９】図９は、フレキシブルディスプレイの第３表示領域に誘電体が配置された状態で、第１筐体と第２筐体とが相対的に回動し閉じられる場合を説明する斜視図である。
【発明を実施するための形態】
【０００９】
以下、本発明の一実施形態の電子機器１０について、図面を参照して説明する。
本実施形態の電子機器１０は、例えば、ノート型ＰＣ（Personal Computer）およびタブレット型ＰＣなどの、携帯型のモバイル端末である。
【００１０】
図１に示すように、電子機器１０は、第１筐体１と、第２筐体２と、ヒンジ（図示省略）と、フレキシブルディスプレイ３と、第１検出部１１と、第２検出部１２と、ペン４と、ブザー（図示省略）と、小型偏芯モータ（図示省略）と、情報処理部５と、を備える。
【００１１】
（第１筐体）
第１筐体１は、四角形板状である。つまり第１筐体１は、板状である。第１筐体１は、内部に電子機器１０の構成部材を収容可能な空間を有する。第１筐体１は、第１筐体１の板面１ａが向く方向と直交する方向を向く４つの側面を有する。
【００１２】
（第２筐体）
第２筐体２は、四角形板状である。つまり第２筐体２は、板状である。第２筐体２は、内部に電子機器１０の構成部材を収容可能な空間を有する。第２筐体２は、第２筐体２の板面２ａが向く方向と直交する方向を向く４つの側面を有する。第２筐体２は、図示しないヒンジを介して第１筐体１と接続される。これにより第２筐体２は、第１筐体１と相対的に回動可能に接続される。第２筐体２は、第１筐体１と側面同士が回動可能に接続される。
【００１３】
（ヒンジ）
ヒンジは、図２に示すように、第１筐体１と第２筐体２とが１枚の平板状に並んで配置される状態、つまり開き角度θ＝１８０度では、第１筐体１と第２筐体２の対向する両端部同士（側面同士）を接触させる。またヒンジは、図３〜図５に示すように、開き角度θが０度以上１８０度未満の場合には、第１筐体１と第２筐体２の両端部同士を離して配置する。これにより、フレキシブルディスプレイ３の後述する第３表示領域３ｃの屈曲が抑制されて、フレキシブルディスプレイ３の電気的特性が良好に維持されつつ、第３表示領域３ｃが撓み変形可能である。
【００１４】
（フレキシブルディスプレイ）
フレキシブルディスプレイ３は、例えば有機ＥＬディスプレイである。フレキシブルディスプレイ３は、第１筐体１の板面１ａおよび第２筐体２の板面２ａにわたって設けられる。つまりフレキシブルディスプレイ３は、第１筐体１の板面１ａおよび第２筐体２の板面２ａを連続して覆う。フレキシブルディスプレイ３は、電極層（図示省略）と、有機ＥＬ層（図示省略）と、タッチセンサ層１３と、を有する。
【００１５】
電極層は、例えば薄膜トランジスタ（Thin Film Transistor：ＴＦＴ）層である。電極層は、複数のスイッチング素子を有する。
有機ＥＬ層は、例えばＲＧＢ（赤色、緑色、青色）有機発光ダイオード（Organic Light Emitting Diode：ＯＬＥＤ）層である。有機ＥＬ層は、電極層の表面に設けられる。
【００１６】
タッチセンサ層１３は、有機ＥＬ層の表面側（電極層とは反対側）に配置される。タッチセンサ層１３は、例えば静電容量方式のセンサ等を含んで構成される。タッチセンサ層１３は、タッチセンサ層１３に対する誘電体Ｄの接触または接近配置を検出する。また、タッチセンサ層１３は、タッチセンサ層１３に対する誘電体Ｄの接触面積を検出する。
【００１７】
図６および図９に示すように、誘電体Ｄは、例えばペン４、ユーザの指Ｆ、スマートフォンＳ、図示しないキー、コインなどの金属部材、およびガラス部材等である。
タッチセンサ層１３は、例えば、ユーザの指Ｆの接触面積や位置等を検出することにより、何本の指Ｆがタッチセンサ層１３に接触したかを検出する。
なお本実施形態でいう「タッチセンサ層１３への接触」とは、タッチセンサ層１３への直接的な接触のほか、フレキシブルディスプレイ３が有する例えば偏光板やカバーフィルム等を介した、タッチセンサ層１３への間接的な接触を含む。
【００１８】
図１〜図５に示すように、フレキシブルディスプレイ３は、全体として略四角形のシート状であり、可撓性を有する。
フレキシブルディスプレイ３は、第１表示領域３ａと、第２表示領域３ｂと、第３表示領域３ｃと、を有する。第１表示領域３ａ、第２表示領域３ｂおよび第３表示領域３ｃは、単一の部材により一体に形成される。
【００１９】
第１表示領域３ａは、第１筐体１の板面１ａに固定される。第１表示領域３ａは、板面１ａと例えば接着等により固定され、撓み変形不能である。
第２表示領域３ｂは、第２筐体２の板面２ａに固定される。第２表示領域３ｂは、板面２ａと例えば接着等により固定され、撓み変形不能である。
第３表示領域３ｃは、第１表示領域３ａと第２表示領域３ｂとを繋ぐ。第３表示領域３ｃは、第１筐体１の板面１ａおよび第２筐体２の板面２ａとは固定されておらず、少なくとも撓み変形可能な領域を含む。
【００２０】
（第１検出部）
図１に示すように、第１検出部１１は、第１筐体１に設けられる。第１検出部１１は、第１筐体１内に収容される。第１検出部１１は、第１筐体１の姿勢を検出する。特に図示しないが、第１検出部１１は、例えば、第１ジャイロセンサと、第１加速度センサと、を有する。第１ジャイロセンサは、第１筐体１の３軸方向の姿勢や角度等を検出する。第１加速度センサは、第１筐体１の３軸方向の加速度等を検出する。
【００２１】
（第２検出部）
第２検出部１２は、第２筐体２に設けられる。第２検出部１２は、第２筐体２内に収容される。第２検出部１２は、第２筐体２の姿勢を検出する。特に図示しないが、第２検出部１２は、例えば、第２ジャイロセンサと、第２加速度センサと、を有する。第２ジャイロセンサは、第２筐体２の３軸方向の姿勢や角度等を検出する。第２加速度センサは、第２筐体２の３軸方向の加速度等を検出する。
【００２２】
なお、第１検出部１１および第２検出部１２の少なくともいずれかが、例えばホールセンサ等の磁気センサを有していてもよい。この場合、第１筐体１と第２筐体２とが閉じた状態であるか開いた状態であるかを、磁気センサの検出結果に基づいて、後述する情報処理部５が判別可能である。
【００２３】
（ペン）
ペン４は、いわゆるスタイラスペンやデジタイザーペン等と呼ばれる部材である。ペン４は、第１筐体１、第２筐体２およびフレキシブルディスプレイ３とは独立して設けられる。ペン４は、第１筐体１および第２筐体２のいずれかに着脱可能に装着されてもよい。ペン４は、例えば棒状である。ペン４の先端部は、先端部以外の部分よりも小径のテーパ状に形成される。
【００２４】
ペン４は、タッチセンサ層１３への接触または接近配置を、タッチセンサ層１３が検出可能に構成される。
ペン４は、筆圧検出部４ａと、通信部４ｂと、を有する。筆圧検出部４ａは、ペン４の先端に加えられる圧力（外力）を検出する。通信部４ｂは、情報処理部５と通信可能に構成される。通信部４ｂは、例えば、Ｂｌｕｅｔｏｏｔｈ（登録商標）機能、ホバリング機能、ペン先通信機能等により、情報処理部５と通信を行う。通信部４ｂは、例えば、筆圧検出部４ａが検出した圧力値等の情報を、情報処理部５と通信する。
【００２５】
（ブザー）
特に図示しないが、ブザーは、第１筐体１、第２筐体２およびペン４のうち少なくとも１つに設けられる。ブザーは、例えば、ビープ音および警告音等を鳴らすことができる。
【００２６】
（小型偏芯モータ）
特に図示しないが、小型偏芯モータは、第１筐体１、第２筐体２およびペン４のうち少なくとも１つに設けられる。小型偏芯モータが動作することにより、バイブレーションを発生させることができる。
【００２７】
（情報処理部）
情報処理部５は、第１筐体１および第２筐体２の少なくともいずれかに設けられる。
情報処理部５は、第１検出部１１の検出結果および第２検出部１２の検出結果に基づいて、第３表示領域３ｃが撓み変形した状態と、第３表示領域３ｃが撓み変形していない状態と、を判別する。すなわち、情報処理部５は、第１検出部１１の検出結果および第２検出部１２の検出結果に基づいて、第１筐体１に対して第２筐体２が曲げられた状態と、第１筐体１と第２筐体２とが平行な状態と、を判別する。
【００２８】
本実施形態では、図２に示すように、第１筐体１と第２筐体２との間の開き角度θが、１７５度以上１８０度以下である場合には、情報処理部５が、第３表示領域３ｃが撓み変形していない状態、つまり第１筐体１と第２筐体２とが平行な状態と判別し、この場合を「オープンモード」と呼ぶ。
また、図３〜図５に示すように、第１筐体１と第２筐体２との間の開き角度θが、０度以上１７５度未満である場合には、情報処理部５が、第３表示領域３ｃが撓み変形した状態、つまり第１筐体１に対して第２筐体２が曲げられた状態と判別し、この場合を「フォールディングモード」と呼ぶ。
【００２９】
特に図示しないが、情報処理部５は、例えば、ＣＰＵと、表示制御部と、モード判定部と、切替部と、記憶部と、を有する。
【００３０】
ＣＰＵは、例えば、情報処理部５において中心的な処理を行う中央演算装置（Central Processing Unit）である。
表示制御部は、フレキシブルディスプレイ３に表示内容を表示させる処理を行う。
【００３１】
モード判定部は、第１検出部１１および第２検出部１２から取得した各検出値に基づいて、電子機器１０の使用モード（現在の形態）が、オープンモードであるかフォールディングモードであるかを判定する。モード判定部は、使用モードの判定結果を切替部に出力する。
切替部は、ＣＰＵの動作モードを切り替える設定を行う。切替部は、例えば、電子機器１０の使用モードが、オープンモードおよびフォールディングモードのいずれであるかに応じて、ＣＰＵの動作モードを切り替える。
【００３２】
表示制御部、モード判定部および切替部の各構成要素は、例えば、ＣＰＵなどのプロセッサがプログラム（ソフトウェア）を実行することで実現される。また、この機能部は、ＬＳＩ（Large Scale Integration）やＡＳＩＣ（Application Specific Integrated Circuit）、ＦＰＧＡ（Field-Programmable Gate Array）などのハードウェアによって実現されてもよいし、ソフトウェアとハードウェアの協働によって実現されてもよい。
【００３３】
記憶部は、プログラムやデータを格納している不揮発性の記憶装置である。記憶部は、例えば、フラッシュメモリやＨＤＤ（Hard Disk Drive）などの記憶装置である。
【００３４】
情報処理部５は、第１筐体１に対して第２筐体２が曲げられた状態、つまりフォールディングモードでは、第３表示領域３ｃに対して、第１表示領域３ａおよび第２表示領域３ｂとは異なる制御を行う。つまりフォールディングモードでは、情報処理部５が、フレキシブルディスプレイ３を複数（３つ）の表示領域に分けて制御する。
【００３５】
情報処理部５は、第１筐体１と第２筐体２とが平行な状態、つまりオープンモードでは、第３表示領域３ｃに対して、第１表示領域３ａおよび第２表示領域３ｂと同じ制御を行う。つまりオープンモードでは、情報処理部５が、フレキシブルディスプレイ３全体を１つの表示領域として制御する。
【００３６】
本実施形態では情報処理部５が、第３表示領域３ｃが撓み変形した状態、つまりフォールディングモードでは、第３表示領域３ｃに、第１表示領域３ａおよび第２表示領域３ｂとは異なる表示を行う。つまり上記異なる制御は、第３表示領域３ｃに、第１表示領域３ａおよび第２表示領域３ｂとは異なる表示を行うことを含む。
具体的に、情報処理部５は、第３表示領域３ｃが撓み変形した状態では、例えば、第３表示領域３ｃを黒抜き（ブラックアウト）で表示する。つまり、第３表示領域３ｃ全体を、単色の黒色で表示する。すなわち、上記異なる制御は、第３表示領域３ｃに、第１表示領域３ａおよび第２表示領域３ｂとは異なる黒抜きの表示を行うことを含む。
【００３７】
本実施形態の変形例として、情報処理部５が、第３表示領域３ｃが撓み変形した状態、つまりフォールディングモードでは、タッチセンサ層１３が第３表示領域３ｃへの誘電体Ｄの接触または接近配置を検出した場合に、第３表示領域３ｃに所定の表示を行うこととしてもよい。つまり上記異なる制御は、タッチセンサ層１３が第３表示領域３ｃへの誘電体Ｄの接触または接近配置を検出した場合に、第３表示領域３ｃに所定の表示を行うことを含む。
具体的には、フォールディングモードにおいて、例えばフレキシブルディスプレイ３全体にウェブブラウジング等の連続画面が表示されている場合に、情報処理部５は、第３表示領域３ｃに、第１表示領域３ａおよび第２表示領域３ｂと同じ表示を行う。そして、第３表示領域３ｃへのユーザのタッチ操作やペンホバー等をタッチセンサ層１３が検出した場合に、情報処理部５は、例えば、第３表示領域３ｃ全体を半透明（シェード）で表示する。つまり上記異なる制御は、タッチセンサ層１３が第３表示領域３ｃへの誘電体Ｄの接触または接近配置を検出した場合に、第３表示領域３ｃを半透明で表示することを含む。
【００３８】
図６〜図８に示すように、情報処理部５は、第３表示領域３ｃが撓み変形した状態、つまりフォールディングモードでは、タッチセンサ層１３が第３表示領域３ｃへの誘電体Ｄの接触または接近配置を検出した場合に、第３表示領域３ｃの検出部分にポップアップウィンドウ２０を表示させる。つまり上記異なる制御は、タッチセンサ層１３が第３表示領域３ｃへの誘電体Ｄの接触または接近配置を検出した場合に、第３表示領域３ｃの検出部分にポップアップウィンドウ２０を表示させることを含む。なおポップアップウィンドウ２０は、少なくとも第３表示領域３ｃの検出部分に表示されればよく、例えば第３表示領域３ｃから、第１表示領域３ａおよび第２表示領域３ｂのいずれかにわたって広範囲に表示されてもよい。
【００３９】
本実施形態では、フォールディングモードにおいて、第３表示領域３ｃへのユーザの指Ｆの接触をタッチセンサ層１３が検出した場合に、情報処理部５は、第３表示領域３ｃの検出部分に、タッチ操作の注意を促すためのタッチ操作注意アイコン２１を、ポップアップウィンドウ２０により表示する。つまり上記異なる制御は、タッチセンサ層１３が第３表示領域３ｃへのユーザの指Ｆの接触を検出した場合に、第３表示領域３ｃの検出部分に、タッチ操作注意アイコン２１をポップアップウィンドウ２０により表示することを含む。
図７に示すように、タッチ操作注意アイコン２１は、絵、図柄および記号等によりユーザが直感的に意味を認識可能に構成されており、文字や文章等の言語を含まない。このためユーザが、国籍等によらず意味を認識でき、かつ命令されているような不快感を覚えにくい。
【００４０】
また、フォールディングモードにおいて、第３表示領域３ｃへのペン４の接触をタッチセンサ層１３が検出した場合には、情報処理部５は、第３表示領域３ｃの検出部分に、ペン操作の注意を促すためのペン操作注意アイコン２２を、ポップアップウィンドウ２０により表示する。つまり上記異なる制御は、タッチセンサ層１３が第３表示領域３ｃへのペン４の接触を検出した場合に、第３表示領域３ｃの検出部分に、ペン操作注意アイコン２２をポップアップウィンドウ２０により表示することを含む。
図８に示すように、ペン操作注意アイコン２２は、絵、図柄および記号等によりユーザが直感的に意味を認識可能に構成されており、文字や文章等の言語を含まない。このためユーザが、国籍等によらず意味を認識でき、かつ命令されているような不快感を覚えにくい。
【００４１】
また、情報処理部５は、第３表示領域３ｃの上記検出部分が移動した場合に、ポップアップウィンドウ２０をこの検出部分の移動に追従させる。すなわち、第３表示領域３ｃへのユーザの指Ｆやペン４等の接触部分（つまり第３表示領域３ｃの検出部分）が、この接触状態を維持したまま移動した場合には、情報処理部５が、ポップアップウィンドウ２０を接触部分（検出部分）に追従させて移動表示させる。
【００４２】
また、情報処理部５は、第３表示領域３ｃにペン４が接近配置されかつ非接触である場合、つまりペンホバー状態である場合には、ポップアップウィンドウ２０を半透明で表示させる。つまり上記異なる制御は、第３表示領域３ｃにペン４が接近配置されかつ非接触である場合には、ポップアップウィンドウ２０を半透明で表示させることを含む。
【００４３】
情報処理部５は、第３表示領域３ｃが撓み変形した状態、つまりフォールディングモードにおいて、タッチセンサ層１３が第３表示領域３ｃへのペン４の接触を検出し、かつ、筆圧検出部４ａが検出した圧力が所定値以上である場合には、所定の制御を行う。
本実施形態では情報処理部５が、フォールディングモードにおいて、第３表示領域３ｃに対して所定値以上の筆圧でペン４が接触したことを検出した場合に、例えば、ペン操作注意アイコン２２のポップアップウィンドウ２０を拡大および縮小して表示したり、ブザーでビープ音を鳴らしたり、小型偏芯モータを動作させてバイブレーションを発生させたりするなどの、所定の制御を行う。これによりユーザに対して、強く注意喚起（警告）を行う。
【００４４】
情報処理部５は、第３表示領域３ｃが撓み変形した状態、つまりフォールディングモードにおいて、タッチセンサ層１３への誘電体Ｄの接触面積が所定値以上である場合には、所定の制御を行う。
本実施形態では情報処理部５が、フォールディングモードにおいて、第３表示領域３ｃに対してユーザが親指押しや２本指押し等のタッチ操作を行うなどにより、誘電体Ｄの接触面積が所定値以上となった場合に、例えば、タッチ操作注意アイコン２１のポップアップウィンドウ２０を拡大および縮小して表示したり、ブザーでビープ音を鳴らしたり、小型偏芯モータを動作させてバイブレーションを発生させたりするなどの、所定の制御を行う。これによりユーザに対して、強く注意喚起（警告）を行う。
【００４５】
図９に示すように、情報処理部５は、タッチセンサ層１３が第３表示領域３ｃへの誘電体Ｄの接触または接近配置を検出し、かつ、第１検出部１１の検出結果および第２検出部１２の検出結果に基づいて、第１筐体１と第２筐体２とが相対的に回動し閉じられる動作を検出した場合には、所定の制御を行う。
本実施形態では情報処理部５が、第１筐体１と第２筐体２とが閉じられる動作を検出し、第３表示領域３ｃに例えばスマートフォンＳ、ペン４、図示しないキーおよびコイン等の誘電体Ｄが挟まれるおそれがある場合に、例えばブザーで警告音を鳴らす等の所定の制御を行う。
【００４６】
以上説明した本実施形態の電子機器１０によれば、第３表示領域３ｃが撓み変形した状態、つまり第１筐体１に対して第２筐体２が曲げられた状態（フォールディングモード）では、情報処理部５が、第３表示領域３ｃに対して第１表示領域３ａおよび第２表示領域３ｂとは異なる制御を行うので、ユーザが第３表示領域３ｃを認識しやすい。このため、第３表示領域３ｃへのタッチ操作等に関して、ユーザに注意を喚起できる。したがって、第３表示領域３ｃの破損等を抑制できる。
【００４７】
具体的に本実施形態では、上記異なる制御が、第３表示領域３ｃに、第１表示領域３ａおよび第２表示領域３ｂとは異なる表示を行うことを含む。
この場合、情報処理部５は、フォールディングモードにおいて、例えば、第３表示領域３ｃを第１表示領域３ａおよび第２表示領域３ｂとは異なる黒抜き（ブラックアウト）で表示することにより、第３表示領域３ｃをユーザに認識させて、第３表示領域３ｃの取り扱いについてユーザに注意を促すことができる。
または、上記構成に替えて、第１表示領域３ａおよび第２表示領域３ｂには操作対象となるアイコン等を配置し、第３表示領域３ｃにはアイコン等を配置しないことで、第３表示領域３ｃをユーザにタッチ操作させないように誘導してもよい。
【００４８】
また本実施形態の変形例では、上記異なる制御が、タッチセンサ層１３が第３表示領域３ｃへの誘電体Ｄの接触または接近配置を検出した場合に、第３表示領域３ｃに所定の表示を行うことを含む。
この場合、情報処理部５は、フォールディングモードにおいて、第３表示領域３ｃへのユーザのタッチ操作、ペン操作およびペンホバー等をタッチセンサ層１３が検出した場合に、例えば、第３表示領域３ｃ全体を半透明（シェード）で表示することにより、ユーザに注意を喚起できる。
【００４９】
また本実施形態では、上記異なる制御が、タッチセンサ層１３が第３表示領域３ｃへの誘電体Ｄの接触または接近配置を検出した場合に、第３表示領域３ｃの検出部分にポップアップウィンドウ２０を表示させることを含む。
この場合、情報処理部５は、フォールディングモードにおいて、第３表示領域３ｃへのタッチ操作、ペン操作およびペンホバー等をタッチセンサ層１３が検出した場合に、第３表示領域３ｃの検出部分に、例えばタッチ操作注意アイコン２１やペン操作注意アイコン２２等の各種アイコンなどのポップアップウィンドウ２０を表示させることにより、ユーザに注意を喚起できる。
【００５０】
また本実施形態では、情報処理部５が、第３表示領域３ｃが撓み変形した状態、つまり第１筐体１に対して第２筐体２が曲げられた状態（フォールディングモード）において、第３表示領域３ｃの上記検出部分が移動した場合に、ポップアップウィンドウ２０をこの検出部分の移動に追従させる。
この場合、第３表示領域３ｃの上記検出部分が、ユーザにとってより直感的に認識しやすい。
【００５１】
また本実施形態では、上記異なる制御が、第３表示領域３ｃにペン４が接近配置されかつ非接触である場合には、ポップアップウィンドウ２０を半透明で表示させることを含む。
この場合、第３表示領域３ｃに対して、ペン４が接近配置されかつ非接触である状態、つまりペンホバー状態であることを、ユーザが認識しやすい。
【００５２】
また本実施形態では、情報処理部５が、第３表示領域３ｃが撓み変形した状態、つまり第１筐体１に対して第２筐体２が曲げられた状態（フォールディングモード）において、タッチセンサ層１３が第３表示領域３ｃへのペン４の接触を検出し、かつ、筆圧検出部４ａが検出した圧力が所定値以上である場合には、所定の制御を行う。
この場合、情報処理部５は、フォールディングモードにおいて、第３表示領域３ｃに対して所定値以上の筆圧でペン４が接触したことを検出した場合に、例えば、ペン操作注意アイコン２２のポップアップウィンドウ２０を拡大および縮小して表示したり、ブザーでビープ音を鳴らしたり、小型偏芯モータを動作させてバイブレーションを発生させたりするなどの、所定の制御を行う。これにより、ユーザに強く注意喚起を行うことができ、第３表示領域３ｃの破損を抑制できる。
【００５３】
また本実施形態では、情報処理部５が、第３表示領域３ｃが撓み変形した状態、つまり第１筐体１に対して第２筐体２が曲げられた状態（フォールディングモード）において、タッチセンサ層１３への誘電体Ｄの接触面積が所定値以上である場合には、所定の制御を行う。
この場合、情報処理部５は、フォールディングモードにおいて、第３表示領域３ｃに対してユーザが親指押しや２本指押し等のタッチ操作を行うなどにより、誘電体Ｄの接触面積が所定値以上となった場合に、例えば、タッチ操作注意アイコン２１のポップアップウィンドウ２０を拡大および縮小して表示したり、ブザーでビープ音を鳴らしたり、小型偏芯モータを動作させてバイブレーションを発生させたりするなどの、所定の制御を行う。これにより、ユーザに強く注意喚起を行うことができ、第３表示領域３ｃの破損を抑制できる。
【００５４】
また本実施形態では、情報処理部５が、タッチセンサ層１３が第３表示領域３ｃへの誘電体Ｄの接触または接近配置を検出し、かつ、第１検出部１１の検出結果および第２検出部１２の検出結果に基づいて、第１筐体１と第２筐体２とが相対的に回動し閉じられる動作を検出した場合には、所定の制御を行う。
この場合、情報処理部５は、第１筐体１と第２筐体２とが閉じられる動作を検出し、第３表示領域３ｃに例えばスマートフォンＳ、ペン４、キーおよびコイン等の誘電体Ｄが挟まれるおそれがある場合に、例えばブザーで警告音を鳴らす等の所定の制御を行う。これにより、ユーザに注意を喚起して第３表示領域３ｃの破損を抑制できる。
【００５５】
また本実施形態では、情報処理部５が、第１検出部１１の検出結果および第２検出部１２の検出結果に基づいて、第１筐体１に対して第２筐体２が曲げられた状態と、第１筐体１と第２筐体２とが平行な状態と、を判別する。
この場合、情報処理部５が、第１検出部１１および第２検出部１２により、第３表示領域３ｃが撓み変形した状態である「フォールディングモード」と、第３表示領域３ｃが撓み変形していない状態である「オープンモード」と、を安定して判別できる。これにより、情報処理部５による上述の各種制御が安定して行われる。
【００５６】
なお、本発明は前述の実施形態に限定されず、例えば下記に説明するように、本発明の趣旨を逸脱しない範囲において構成の変更等が可能である。
【００５７】
前述の実施形態では、第１筐体１と第２筐体２との間の開き角度θが、１７５度以上１８０度以下である場合を「オープンモード」とし、０度以上１７５度未満である場合を「フォールディングモード」としたが、これに限らない。例えば、開き角度θが、１７９度以上１８０度以下である場合を「オープンモード」とし、０度以上１７９度未満である場合を「フォールディングモード」としてもよい。または、開き角度θが、１６０度以上１８０度以下である場合を「オープンモード」とし、０度以上１６０度未満である場合を「フォールディングモード」としてもよい。つまり、オープンモードとフォールディングモードとを決定する境界値は、電子機器１０の構造等に応じて任意に設定してよい。
【００５８】
前述の実施形態では、情報処理部５が、第１筐体１に収容される例を図１に示した。なお、情報処理部５が第１筐体１に配置される箇所は、図１に示す箇所に限らない。
また情報処理部５は、第１筐体１に替えて、または第１筐体１とともに、第２筐体２に収容されてもよい。
また、第１検出部１１が第１筐体１に配置される箇所、および、第２検出部１２が第２筐体２に配置される箇所についても、図１に示す例に限らない。
また、筆圧検出部４ａがペン４に配置される箇所、および、通信部４ｂがペン４に配置される箇所についても、図１および図６に示す例に限らない。
【００５９】
その他、本発明の趣旨から逸脱しない範囲において、前述の実施形態、変形例およびなお書き等で説明した各構成（構成要素）を組み合わせてもよく、また、構成の付加、省略、置換、その他の変更が可能である。また本発明は、前述した実施形態によって限定されることはなく、特許請求の範囲によってのみ限定される。
【符号の説明】
【００６０】
１…第１筐体、１ａ…板面、２…第２筐体、２ａ…板面、３…フレキシブルディスプレイ、３ａ…第１表示領域、３ｂ…第２表示領域、３ｃ…第３表示領域、４…ペン、４ａ…筆圧検出部、４ｂ…通信部、５…情報処理部、１０…電子機器、１１…第１検出部、１２…第２検出部、１３…タッチセンサ層、２０…ポップアップウィンドウ、Ｄ…誘電体
【図１】
0006830130.tif 000002
【図２】
0006830130.tif 000003
【図３】
0006830130.tif 000004
【図４】
0006830130.tif 000005
【図５】
0006830130.tif 000006
【図６】
0006830130.tif 000007
【図７】
0006830130.tif 000008
【図８】
0006830130.tif 000009
【図９】
0006830130.tif 000010